(57)【要約】【課題】照射対象物に適した光を照射可能な照明装置を提供する。【解決手段】  実施形態の一例に係る照明装置は、ピーク波長が６８０ｎｍ以上の赤色光を発する第１光源と、白色光源と、を備える光源部を備える。また、光源部を制御する制御部を備えており、光源部からの出力は、照射対象物に対応した目標色度座標に応じて制御される。【選択図】図２
2020167063.tif 000002
【特許請求の範囲】
【請求項１】
ピーク波長が６８０ｎｍ以上の赤色光を発する第１光源と、
白色光源と、
を備える光源部と；
前記光源を制御する制御部と；を有し、
前記光源部からの出力は、照射対象物に対応した目標色度座標に応じて制御されることを特徴とした照明装置。
【請求項２】
前記目標色度座標は、前期照射対象物と前期目標色度座標とが１対１に紐付けされているデータベースを参照することを特徴とした請求項１記載の照明装置。
【請求項３】
前記目標色度座標は、照射対象物の情報からコンピュータが決定することを特徴した請求項１記載の照明装置。
【請求項４】
請求項１〜３いずれか１つに記載に照明装置と；
目標色度座標が出力される処理部と；をさらに備え、
照射処理部から出力される目標色度座標に基づき、前記照明装置を制御することを特徴した照明システム。
【請求項５】
対象物の情報を処理部に入力し、目標色度座標を出力するステップと；
出力された目標色度座標に合わせた光を前記対象物に照射するステップと；
を含む照明方法。
【発明の詳細な説明】
【技術分野】
【０００１】
本発明の実施形態は、照明装置に関する。
【背景技術】
【０００２】
近年では、ＬＥＤ（Ｌｉｇｈｔ  Ｅｍｉｔｔｉｎｇ  Ｄｉｏｄｅ）を光源とする照明装置において、対象物を照射した際に、対象物本来の自然な色合いで人間の目に認識させるような照明装置が存在する。このような照明装置では、蛍光体もしくはＬＥＤの組み合わせにより１つの決まった分光分布の光が照射される。
【０００３】
しかし、色合いは対象物に応じて異なるため、照明装置から照射される光もそれに応じて変化させる必要がある。対象物と光が合っていない場合は、対象物が正確な色合いで認識されない虞がある。従来の照明装置では、照明装置を設置する側で照射対象物に適した光を判断し、さらに照射対象物に応じて照明装置を取り替える必要があった。そのため、照射対象物に適した光を照射可能な照明装置が必要とされていた。
【先行技術文献】
【特許文献】
【０００４】
【特許文献１】特開２０１８−０４１８５６号公報
【発明の概要】
【発明が解決しようとする課題】
【０００５】
本発明が解決しようとする課題は、照射対象物に適した光を照射可能な照明装置を提供することである。
【課題を解決するための手段】
【０００６】
実施形態の一例に係る照明装置は、ピーク波長が６８０ｎｍ以上の赤色光を発する第１光源と、白色光源と、を備える光源部を備える。また、光源部を制御する制御部を備えており、光源部からの出力は、照射対象物に対応した目標色度座標に応じて制御される。
【発明の効果】
【０００７】
実施形態によれば、照射対象物に適した光を照射可能な照明装置を提供することが期待できる。
【図面の簡単な説明】
【０００８】
【図１】一実施形態を示す照明装置を示す図である。
【図２】一実施形態を示す光源装置を示す図である。
【図３】一実施形態を示す光源装置に配設される光原の色度座標を示す色度図である。
【図４】一実施形態を示す照明装置に配設される光源のスペクトルの一例を示すグラフである。
【図５】一実施形態を示す照明装置に配設される光源の色度座標の一例を示す色度図である。
【図６】等色関数を示すグラフである。
【図７】肌色に対する分光反射率の例を示すグラフである。
【図８】第１の変形例の照明装置を示す図である。
【図９】第１の変形例の照明装置を示す図である。
【図１０】第１の変形例の照明装置に配設される光源の色度座標の一例を示す色度図である。
【発明を実施するための形態】
【０００９】
以下、一実施形態を図面を参照して説明する。なお、以下では可視光についての説明を行う。つまり、人間の目で感じとれることが可能な可視光線である、波長が３８０ｎｍ〜７８０ｎｍの範囲の光について説明するものとする。また、本明細書において白色とは色温度が１８００Ｋ〜２００００Ｋの範囲の光を指すこととする。
図１に対象物を照射する照明装置１を示す。照明装置１は光源装置２、光源装置２の点灯を制御する制御部３を備える。
【００１０】
図２に光源装置２を示す。光源装置２は第１光源１０と第２光源２０を備えている。第１光源１０と第２光源２０は、それぞれ１つの光源もしくは複数の光源によって形成される。また図２に示すように、第１光源１０、第２光源２０をそれぞれ個別に１列ずつ配設する形態に限定されるものではい。例えば、それぞれの光源が点在する千鳥配置で配設されたり、第１光源１０を覆うように第２光源２０が配設されても良い。
【００１１】
第１光源１０は、ピーク波長が６８０ｎｍ以上の赤色光源である。第１光源１０のピーク波長は、例えば、６８０ｎｍ以上７８０ｎｍ以下であって、好ましくは６８０ｎｍ以上７００ｎｍ未満である。また、第１光源１０は、ＬＥＤやＬＤやＯＬＥＤなどの固体光源であって、半値幅は５ｎｍ以上６０ｎｍ以下であることが望ましい。
【００１２】
第２光源２０は、白色光源であって、例えば、色温度が３０００Ｋ、色偏差が０の白色光源である。第２光源２０は、例えば、赤色と緑色と青色の３色、もしくは、赤色と黄色と青色の３色の固体光源を備えた光源であったり、青色の固体光源を励起光源として黄色蛍光体、緑色蛍光体、赤色蛍光体のうち少なくとも１種類の蛍光体が励起される光源であったりしても良い。
【００１３】
制御部３は光源装置２の点灯を制御する。制御部３は、電源機能と制御機能を備えており、光源装置２の第１光源１０、第２光源２０をそれぞれ個別に点灯制御することができる。例えば、それぞれの光源にＰＷＭ波形または直流波形の電流を入力して、それぞれの光源を個別に調光制御したり、時間的に除所時間的に徐々に明るく、もしくは暗くしたりする調光制御もできる。
【００１４】
制御機能を動作させるための制御用信号は、照明装置１に設けられた、例えば、ボタンやツマミを操作することで入力されて良いし、外部から制御用信号を入力されても良い。外部から制御用信号を入力する場合は、例えば、リモコンから赤外線や可視光などの光信号を入力したり、通信機器から有線もしくは無線通信で信号を入力したりしても良い。
【００１５】
また光源装置２は、第３光源３０、第４光源４０を備えていても良い。また、第２光源２０は白色ではなく、ライム色光源であったり、アンバー色光源であったりしても良い。
【００１６】
第３光源３０は、ピーク波長が４９０ｎｍ以下の青色光源である。第３光源３０のピーク波長は、例えば、４００ｎｍ以上４９０ｎｍ以下である。また第３光源３０は、ＬＥＤやＬＤやＯＬＥＤなどの固体光源であって、半値幅は５ｎｍ以上６０ｎｍ以下であることが望ましい。
【００１７】
第４光源４０は、ピーク波長が４９０ｎｍ以上５５０ｎｍ以下の緑色光源である。第４光源４０のピーク波長は、好ましくは、４９０ｎｍ以上５２０ｎｍ以下である。また、第４光源４０は、ＬＥＤやＬＤやＯＬＥＤなどの固体光源のみで構成されていても良いし、ＬＥＤやＬＤやＯＬＥＤなどの固体光源と蛍光体の組み合わせで構成されていても良い。なお、ＬＥＤやＬＤやＯＬＥＤなどの固体光源のみで構成されていている場合は、半値幅は５ｎｍ以上６０ｎｍ以下であることが望ましい。
【００１８】
照明装置１で対象物を照射する場合は、照明装置１からの出力が照射対象物に対応した目標色度座標に応じて、光源装置２が制御部３に制御される。ここでの照射対象物に対応した目標色度座標とは、例えば、照射対象物の視認性を向上させる光源装置２から照射される光の色度座標である。つまり、目標色度座標に制御された光を対象物に照射することで、対象物が持っている色合いや風合いを人間の目で正確に識別することができる。
【００１９】
この目標色度座標は、例えば、照射対象物の反射率または人間の目の視感度曲線、もしくはその両方を用いて導出される。つまり、光源装置２が照射した光が照射対象物に当たり、反射光を人間の目で受け取るとき色度を想定して、目標色度座標が導出される。従来の照明装置では、照明装置から照射される光のみに着目していたため、対象物に照射してみると色が微妙にずれており、光源の微調整が必要となっていた。本制御方法とすることで、最初から人間の目が受け取る色に合わせて制御を行うため、微調整なくスムーズに対象物を照射することが可能となる。
【００２０】
この目標色度座標は、例えば、照射対象物と目標色度座標が紐付けされた、テーブルを参照して抽出されても良い。このテーブルは、例えば、照明装置１に配設された記憶領域に備わっていても良いし、ネットワーク上に記録されていても良い。テーブルを参照する際は、照射対象物の情報を入力するステップと、目標色度座標が出力されるステップと、を含む。ここでの照射対象物の情報とは、照射対象物の名称であったり、照射対象物の画像データや反射率データであったりする。例えば、照射対象物の画像データや反射率データを入力する場合は、間に、照射対象物が何かを判断するステップを含んでも良い。
【００２１】
また目標色度座標は、テーブル参照する形態に限定されるものではない。例えば、照射対象物の情報をもとに、目標色度座標を算出する形態でも良い。この場合、照明装置１もしくはネットワーク上に配設されたコンピュータに対象物の情報を入力するステップと、コンピュータで対象物の情報を元に目標色度座標を判断するステップと、目標色度座標を出力するステップと、を含む。なお、ここでのコンピュータとは、例えば、プロセッサやＣＰＵを指す。また、ここでの照射対象物の情報とは、照射対象物の名称であったり、照射対象物の画像データや反射率データであったりする。
【００２２】
ここでｘｙ色度図を用いて、第１光源１０、第２光源２０、第３光源３０、第４光源４０それぞれの色度座標について説明する。図３にｘｙ色度図の一例を示す。図３において、横軸のｘの値が大きいほど赤色が強く、ｘの値が小さいほど青色が強いことを示している。また縦軸のｙの値が大きいほど緑色が強く、ｙの値が小さいほど青色が強いことを示している。つまり、青色に近づくほど、ｘ、ｙともに値が小さくなり、緑色に近づくほどｙの値が大きくなり、赤色に近づくほどｘの値が大きくなることを示している。
【００２３】
また図３において、色度図の中央には、色温度を表す黒体軌跡５０が示されている。その黒体軌跡５０において、最も低色温度が低くなる点を低色温度点５１とし、色温度が無限大相当となる点を高色温度点５２とする。低色温度点５１は黒体軌跡５０において最もｘの値が大きくなる点であり、後述する第１光源１０の色度座標である第１色度座標１１
とほぼ近い点である。高色温度点５２は、黒体軌跡５０において最もｘの値が小さくなる点であり、例えば、２００００Ｋより高い色温度を示す点である。なお低色温度点５１は、例えば、色温度が５００Ｋとなる点としても良い。さらに、図３において、略半楕円形状となる色度図の円弧部分は外周部５３であり、スペクトル軌跡を表している。外周部５３は色度図において、ｙが最も小さくなる点から始まり、ｘが最も大きくなる点までを結ぶ形で形成されている。
【００２４】
本実施形態において、第１光源１０は、ピーク波長が６８０ｎｍ以上の赤色光源であり、第１光源１０の色度座標である第１色度座標１１は、色度図でｘが最も高くなる箇所に位置する。つまり、第１色度座標１１と外周部５３においてｘが最も大きくなる点とほぼ一致する。本実施形態では、図３に示すように、（ｘ、ｙ）＝（０．７３、０．２７）の点に第１色度座標１１が位置している。
【００２５】
本実施形態では、第３光源３０の色度座標である第３色度座標３１は、第１色度座標１１と高色温度点５２を結ぶ直線をｘが小さくなる方向に延長した延長線Ａを引き、延長線Ａと外周部５３と交わる点よりｙが小さくなる点に位置することが好ましい。本実施形態では、図３に示すように、延長線Ａと外周部５３が交わる点は、波長４９０ｎｍを越えた点となる。そのため、第３光源３０をピーク波長が４９０ｎｍ以下とすることが好ましい。本実施形態では、図３に示すように、波長４８５ｎｍ相当の（ｘ、ｙ）＝（０．０７、０．２０）の点に第３色度座標３１が位置している。
【００２６】
本実施形態では、第４光源４０の色度座標である第４色度座標４１は、第１色度座標１１から外周部５３に沿ってｙが大きくなる方向に延長した延長線Ｂを引き、外周部５３と延長線Ｂが交わる最もｙが大きい点に位置することが好ましい。本実施形態では、図３に示すように、波長５５０ｎｍ相当の（ｘ、ｙ）＝（０．３０、０．６９）の点に第４色度座標４１が位置している。
【００２７】
このように、第１、第３、第４色度座標を定めることで、色度座標上において、第１色度座標１１、第３色度座標３１、第４色度座標４１の３点を頂点とする三角形の内側の領域に黒体軌跡５０の全体を含むことができる。つまり、第１光源１０、第３光源３０、第４光源４０の出力を変動させることで、黒体軌跡５０の低色温度点５１や、高色温度点５２を含む幅広い色を照明装置１で作り出すことが可能となる。
【００２８】
例えば、赤色、緑色、青色のような単色を作り出す場合は、第１光源１０、第３光源３０、第４光源４０のうちいずれか１つを点灯させれば良い。また、赤色、緑色、青色それぞれの中間色を作り出す場合は、第１光源１０、第３光源３０、第４光源４０のうちの２つのみ光源を点灯させれば良い。
【００２９】
しかし、色度図における中央付近の光を作り出す場合は、第１光源１０、第３光源３０、第４光源４０のいずれも点灯させる必要がある、この色度図における中央付近の光は、例えば、白色である。この場合、第１光源１０からの出力は、第３光源３０ないし第４光源４０よりも高くなる。ここでの出力は、例えば、放射束（単位：ｍＷ）であり、例えば、第１光源１０は、第３光源３０ないし第４光源４０よりも２倍以上高い出力の光を照射する。そして、第１光源１０と第３光源３０と第４光源４０から照射される光を混色して、例えば、白色が作り出される。このように制御して照射されることで、第１光源１０からの光が一定割合以上照射されるため、後述する、照射対象物の本来の色味を正確に人間の目で認識できる効果が期待できる。
【００３０】
また、本実施形態においては、第４光源４０は、ピーク波長が４９０ｎｍ以上５５０ｎｍ以下であり、ＬＥＤやＬＤやＯＬＥＤなどの固体光源と蛍光体の組み合わせで構成されていても良い。つまり第４色度座標４１は、図３に示した波長５５０ｎｍ相当の（ｘ、ｙ）＝（０．３０、０．６９）とは異なる座標に位置する。具体的には、ピーク波長が小さくなることで、第４色度座標４１が外周部５３に沿って、ｘが小さくなる方向に移動する。また固体光源と蛍光体の組み合わせで構成することで、スペクトルの半値幅が大きくなり、第４色度座標４１が色度図の外周部５３上の点から、色度図の中の方向に移動する。その場合、照明装置１で青緑に近い色を作り出したり、演色性が高い光を作り出したりできる一方で、黒体軌跡５０の低色温度点５１の近傍の色や黒体軌跡５０の高色温度点５２を作り出すことができなくなる虞がある。照明装置１の用途によっては、低色温度点５１や高色温度点５２を作り出す必要はないため、用途に応じて使用する光源を使い分けることができる。
【００３１】
さらに、本実施形態においては、光源装置２は第２光源２０を備えており、この第２光源２０の色度座標である第２色度座標２１は、色度図上において、第１色度座標１１、第３色度座標３１、第４色度座標４１の３点を頂点とする三角形の内側の領域に位置することが望ましい。第２光源２０と組み合わせることで、第１光源１０、第３光源３０、第４光源４０の３つの光源で実現可能な全ての相関色温度に対し、同じ相関色温度でも様々な演色性の分光分布を実現することが可能となる。
【００３２】
第２光源２０を備えた光源装置２にて、第２色度座標２１とは異なる色度座標であって、色度図における中央付近の光（例えば、白色光）を作り出す場合、第１光源１０、第２光源２０、第３光源３０、第４光源４０のから照射される光を混色して作り出される。そして、この場合においても、第１光源１０からの出力は、第３光源３０ないし第４光源４０よりも高くなる。ここでの出力は、例えば、放射束（単位：ｍＷ）であり、例えば、第１光源１０は、第３光源３０ないし第４光源４０よりも２倍以上高い出力の光を照射し、このように制御して照射されることで、第１光源１０からの光が一定割合以上照射されるため、後述する、照射対象物の本来の色味を正確に人間の目で認識できる効果が期待できる。
【００３３】
次に照明装置１で対象物を照射する動きについて説明する。この照明装置１で対象物を照射する場所は、例えば、店舗（アパレル、美容院、食料品店など）や美術館などであるが、これら以外の場所で用いられても良い。
【００３４】
例えば、本実施形態における一例として、図４に示すスペクトルを有する照明装置１を構成する。図４に示すスペクトルを有する照明装置１は、第１光源１０としてピーク波長が６９０ｎｍのＬＥＤと、第２光源２０として、３０００Ｋの白色ＬＥＤと、第３光源３０としてピーク波長が４６５ｎｍのＬＥＤと、第４光源４０としてピーク波長が５５０ｎｍのＬＥＤと、を備えている。
【００３５】
図５に、本実施形態における一例として、図４に示すスペクトルを有する照明装置１の各光源の色度を示す。第１色度座標１１は、例えば、（ｘ、ｙ）＝（０．７３、０．２７）である。第２色度座標２１は、例えば、（ｘ、ｙ）＝（０．４５、０．４１）である。第３色度座標３１は、例えば、（ｘ、ｙ）＝（０．１３、０．０６）である。第４色度座標４１は、例えば、（ｘ、ｙ）＝（０．４１、０．５１）である。なお、本実施形態では、第２色度座標２１は、第１色度座標１１と第３色度座標３１と第４色度座標４１の３点で構成される三角形の中であって、黒体軌跡５０上に位置する点となっている。
【００３６】
本実施形態においては、第１光源１０、第２光源２０、第３光源３０、第４光源４０の４種類の光源の明るさを変化させることで、例えば、２８００Ｋ、ｄｕｖ＝０．００の光であれば、Ｒａ８５〜Ｒａ９５の光を作り出すことが可能となる。
【００３７】
また、第１光源１０はピーク波長が６８０ｎｍ以上の赤色光源である。ピーク波長が６８０ｎｍ以上の赤色光が付加されることで、Ｒ１〜Ｒ１５の値や、ｄｕｖの値がほぼ同じでも、対象物の肌色や赤色、紫色、といった色の視認性を向上することができ、視対象が持つ色合いや風合いを人間の目によって、より正確に識別できる効果が期待できる。
【００３８】
ここで、肌色を例に挙げて、対象物の肌色を正確に識別できるようになる原理について説明する。なお、人間が識別する物体の色は、人間の目の感度と物体が発する色（物体が反射する光の波長）とが関連している。
【００３９】
人間の目の感度を示す情報としては、等色関数と呼ばれるものが知られている。等色関数は、人間の目に対応する分光応答度を示すものである。国際照明委員会（ＣＩＥ：Ｃｏｍｍｉｓｓｉｏｎ  Ｉｎｔｅｒｎａｔｉｏｎａｌｅ  ｄｅ  Ｉ’Ｅｃｌａｉｒａｇｅ）では、等エネルギースペクトルに対する目の感度をスペクトル刺激値と称し、この感度曲線を等色関数と定義している。  図６は、等色関数を示す図である。等色関数は、３つの曲線ｚ（λ）、曲線ｙ（λ）および曲線ｘ（λ）を有する。各曲線は、人間が知覚する色を数値化する指標として用いられる。図６に示す等色関数において、曲線ｘ（λ）は、等色関数における最も大きい（長い）波長での相対値のピークを有する。等色関数の曲線ｘ（λ）では、約６００ｎｍ程度の波長において、最も大きい波長での相対値のピークを形成する。すなわち、等色関数において、相対値がピークとなる最も長い波長は約６００ｎｍである。このような等色関数に従えば、６００ｎｍ以上の波長領域においては光の波長が長く大きくなればなるほど、色として数値化するのが困難となる（つまり、等色関数への寄与が小さくなる）。
【００４０】
一方、人が知覚する物体の色は、等色関数で表されるような人間の目に対応する分光応答度だけでなく、物体の分光反射率（分光反射率係数）にもよる。一般に、色の見え方はカラーチャートを用いて確認される。カラーチャートの例としては、マクベスチャートと呼ばれるものがある。例えば、マクベスチャート（マクベスチャートのＮＯ．２）では人間の肌色としての色票が示されている。図７は、マクベスチャートで示される肌色の分光反射率を示す図である。図７によれば、肌色の分光反射率は、５８０ｎｍから７８０ｎｍまでの間で相対値が大きくなる。そのため、この分光反射率の相対値が大きい領域の波長を肌色に照射することで反射光が増え、反射光が人間の目に入ることで、より本来の色味を正確に認識することが可能となる。
【００４１】
本実施形態では、等色関数への寄与がごく小さい領域であるが、肌色の分光反射率が高い６８０ｎｍ以上の光を第１光源１０によって付加することにより、肌色が本来もつ色味を正確に人間の目に伝えることが可能となっている。赤色、紫色についても同様で、６８０ｎｍ以上の波長領域での反射率が高くなるものであれば、同様の効果を期待できる。
【００４２】
同様に、第４光源４０は、ピーク波長が４９０ｎｍ以上５５０ｎｍ以下の緑色光源であり、この光が付加されることで、対象物の緑色の視認性を向上することができ、視対象が持つ色合いや風合いを人間の目によって、より正確に識別できるようになる。また、第３光源３０は、ピーク波長が４９０ｎｍ以下の青色光源であり、この光が付加されることで、対象物の青色の視認性を向上することができ、対象物が持つ色合いや風合いを人間の目によって、より正確に識別できるようになる。
【００４３】
本実施形態の照明装置１を用いた場合、例えば、赤色を含む対象物を照射する際は赤色の第１光源１０を、緑色を含む対象物を照射する際は緑色の第４光源４０を、青色を含む対象物を照射する際は青色の第３光源３０を、それぞれ選択して照射することが可能となる。もちろん、それぞれを複合して照射することも可能であり、例えば、赤色と青色を含む対象物を照射する際は赤色の第１光源１０と青色の第３光源３０を一緒に照射しても良い。これにより、赤色、青色、緑色のそれぞれ原色と、そのそれぞれの中間色を正確に識別できる光を照射することが可能となる。
【００４４】
従来の照明装置では、主に赤に着目して構成されていたため、青色や緑色を付加する機構が備わっておらず、青色や緑色を含む対象物に照射した場合、赤色のみ視認性が向上され不自然に認識される虞があった。本実施形態では、青色や緑色を付加する機構を備えているため、青色や緑色を含む対象物に対しても適切に認識できる光を照射することが可能となる。
【００４５】
また、従来の赤に着目して構成されていた照明装置を、同一空間に複数台並べた場合、ＬＥＤ素子の固体バラつきやロット差によって、光色にバラつきが生じ、隣接する照明装置でも微妙に色が異なって見えるという問題点があった。本実施形態のように、色を調整可能な調色構造とすることで、照明装置間のバラつきを改善することができる。
【００４６】
色を調整可能な構造としては、本実施形態とは異なり、２色の白色光を組み合わせて調色する構造も存在する。この場合、２色の白色光つまり、２つの座標間の直線上での調色となるため、照明装置間のバラつきがこの直線上に収まっていない場合は、光色のバラつきを改善することができない虞があった。また、黒体軌跡は直線ではないため、この直線上で調色を行った際に、黒体軌跡から外れてしまい、違和感のある光となってしまう虞があった。本実施形態のように、２つの座標間ではなく、３つ以上の座標間での調色する構造とすることで、偏差方向への調色も可能となる。よって、直線ではカバーしきれない領域も調光することができたり、黒体軌跡に沿った調色もすることも可能となる。
【００４７】
なお、本実施形態においては、第１光源１０はピーク波長が６８０ｎｍ以上の赤色光源であり、等色関数への寄与が小さく視感度が高くない光を照射する。そのため、照明装置１を調色する際は、視感度が高い第３光源３０や第４光源４０の方向へ引っ張れられやすくなる。特に、黒体軌跡に沿って調光する場合は、第１光源１０の出力は、第３光源３０や第４光源４０よりも強くなるように制御する必要がある。
【００４８】
また、一般的に、ＬＥＤを光源とする照明装置は、ＣＩＥで定義される等色関数で数値化できる色の光を再現することを想定して設計されることが多い。言換えると、等色関数で数値化できる光色を再現することを目的として設計されたＬＥＤを光源とする照明装置は、等色関数では数値化が困難である可視域の波長の光（等色関数への寄与が小さい波長の光）を出力するようには設計されていない。すなわち、等色関数で数値化できる光色を再現することを目的として設計されたＬＥＤを光源とする照明装置は、等色関数への寄与が小さい波長（例えば、６８０ｎｍ以上の波長）の光の出力を大きくすることが困難である。本実施形態では、ピーク波長が６８０ｎｍ以上の赤色光源である第１光源１０を備えており、等色関数への寄与が小さい６８０ｎｍ以上の光の出力を大きくすることが可能である。その結果、肌色、赤色、紫色の視認性を向上することができ、対象物が持つ色合いや風合いを人間の目によって、より正確に識別できるようになる。
【００４９】
次に、照明装置１の制御系の説明を行う。照明装置１は、例えば、照明装置１に設けられたボタンやツマミを操作することで制御が切り替えられても良いし、外部から入力された対象物の情報に基づき照明制御が行われる形態でも良い。以下では、外部から対象物の情報が入力される形態の一例について説明を行う。
【００５０】
外部から入力される対象物の情報とは、例えば、カメラやセンサで取得された実態画像データや熱画像データなどの画像データであったり、反射率情報、色情報、温度情報、変位情報などの数値データであったりする。この場合、図８に示すように、照明装置１に対象物の情報を受信する受信部６０と対象物の情報が入力され照明制御方法を判断する処理部７０を配設する。
【００５１】
受信部６０では、外部から送信された対象物の情報を受信する。なお、照明装置１で対象物の情報を取得する形態としても良く、その場合は、受信部６０の代わりに、対象物の情報を取得するセンサやカメラといった図示しない取得部６１を配設する。また、受信部６０と取得部６１と両方を配設していても良い。受信もしくは取得した対象物の情報は、受信部６０もしくは取得部６１から出力され、その後、処理部７０へ渡される。
【００５２】
処理部７０は、例えば、プロセッサやＣＰＵを備えており、入力された対象物の情報から、対象物に適した目標色度座標を判断し、制御方法を判断する。そして、処理部７０から制御方法が含まれた情報もしくは信号が出力され、その後、制御部３へ渡される。制御部３が光源部２を制御する。
【００５３】
例えば、対象物として人間の肌を選択したケースを紹介する。照射対象の人間の肌色に関する情報を、照明装置１の取得部６１、または照明装置１とは別に設置されたセンサ、または携帯用通信機器などで取得する。この時点では取得した情報は、実態画像データであったり、反射率データであったり、実態画像データを元に反射率データに変換されていたり、しても良い。
【００５４】
その後、その取得した情報を処理部７０へと渡す。処理部７０ではその情報から、例えば、肌色の反射率が高い波長領域の光源の出力を高めることが適していると判断し、その目標色度座標を算出もしくは選択する。その後、その目標色度座標に合わせた制御方法を判断する。そして、その制御方法が含まれた情報もしくは信号が出力される。なお処理部７０での制御の判断は、上に記載したものに限定されるものではない。例えば、肌色が特定の色度になるように光源の出力を変動させる制御を判断したりしても良い。この場合、照明装置１が使用される状況を予め登録しておくことで、制御の方針をコントロールするような仕組みとなっていても良い。
【００５５】
そして、その情報もしくは信号は制御部３へ渡され、制御部３が光源部２を制御することで、照明制御が行われる。この一連の照明制御において、情報や信号は有線、無線どちらでやり取りされても良い。
【００５６】
処理部７０での処理は、例えば、入力された対象物の情報が実態画像データの場合は、対象物の分光反射率を抽出し、分光反射率の高い波長領域の光源の発光強度を高めるという制御を判断し、制御情報を出力するというステップが含まれる。また、特定の波長の発光強度を高めることで、色温度や色偏差、Ｒａが変動してしまう場合は、変動を打ち消すように別の波長の光源の発光強度を変動させるような制御を間にはさんでも良い。
【００５７】
処理部７０には、予め対象物と制御方法とが紐付けられたデータが記憶されている記憶部を備えていても良い。その場合、処理部７０での処理は、対象物が何か認識するステップと、認識した対象物の状態と記憶部のデータを照合し制御方法を選択するステップと、制御情報を出力するステップとなっても良い。また、処理部７０がクラウドサーバーと接続し、クラウドサーバー上でデータを検索し照合する構成でも良い。
【００５８】
また、受信部６０と処理部７０は一体に形成されても良いし、制御部３に受信部６０と処理部７０の機能も持たせていても良い。さらに、処理部７０での処理はクラウドサーバー上で行われ、照明装置１は、処理部７０を備えていなくても良い。この場合、対象物の情報は直接クラウドサーバーへ送信され、クラウドサーバーにて処理を行い、制御情報を照明装置１へ送信する。制御情報は受信部６０で受け取り、その後、制御情報を受け取った制御部３が光源部２を制御する。
【００５９】
このように処理部７０にて制御方法を判断して制御することにより、人間の目で１つ１つ対象物を確認して光源の出力を調整する手間を省くことができる。また、人間の目で判断する場合は、微妙な個人の感覚の差によって光源にバラつきが生じる虞がある。その点についても処理部７０で判断することでバラつきなく制御することが可能となる。さらに、処理部７０で判断を行い光源の出力を制御し不要な光源の出力を抑えることができるため、消費エネルギーを抑える効果も期待できる。
【００６０】
次に第１の変形例を説明する。第１の変形例の照明装置１を図９に示す。第１の変形例では、光源装置２は、第１発光部１１０、第２発光部１２０、第３発光部１３０、第４発光部１４０を備える。ここでの発光部とは、ピーク波長が異なる複数の光源が集まって形成された発光部である。なお、各発光部の配置は図９に示した形態に限定されるものではなく、例えば、各発光部が帯状に形成され列をなすように配置されても良いし、最小単位で形成された各発光が千鳥配置で点在するように配置されても良い。
【００６１】
第１発光部１１０からは、青色と白色を混色した光が照射される。第１発光部１１０には、例えば、第２光源２０と、第３光源３０と、の２種類の光源の組み合わせで構成される。ここでの、第２光源２０は、例えば、４３００Ｋ、Ｒａ９０の白色光源である。
【００６２】
第２発光部１２０からは、赤色と白色を混色した光が照射される。第２発光部１２０には、例えば、第１光源１０と第２光源２０が配設される。ここでの。第２光源２０は、例えば、４３００Ｋ、Ｒａ９０の白色光源である。なお、第２発光部１２０においては、赤色の光はピーク波長が６８０ｎｍ以上に限定されるものではない。例えば、第２発光部１２０は、ピーク波長が６１０ｎｍ以上６８０ｎｍ以下の赤色光源と、第２光源２０と、の２種類の光源の組み合わせで構成されていても良い。
【００６３】
第３発光部１３０からは、緑色と青色と白色を混色した色の光が照射される。第３発光部１３０には、例えば、第２光源２０と第３光源３０と第４光源４０が配設される。ここでの、第２光源２０は、例えば、４３００Ｋ、Ｒａ９０の白色光源である。なお、第３発光部１３０においては、緑色の光はピーク波長が４９０ｎｍ以上５５０ｎｍ以下に限定されるものではない。そのため、第３発光部１３０としては、例えば、ピーク波長が４９０ｎｍ以上５８０ｎｍ以下の緑色光源と、第３光源３０と、第２光源２０と、の３種類の光源の組み合わせで構成されていても良い。
【００６４】
第４発光部１４０からは、赤色と緑色と白色を混色した色の光が照射される。第４発光部１４０には、例えば、第１光源１０と第２光源２０と第４光源４０が配設される。ここでの第２光源２０は、例えば、４３００Ｋ、Ｒａ９０の白色光源である。なお、第４発光部１４０においては、赤色の光はピーク波長が６８０ｎｍ以上に限定されるものではない。また、緑色の光はピーク波長が４９０ｎｍ以上５５０ｎｍ以下に限定されるものではない。そのため、第４発光部１４０としては、例えば、ピーク波長が６１０ｎｍ以上６８０ｎｍ以下の赤色光源と、ピーク波長が４９０ｎｍ以上５８０ｎｍ以下の緑色光源と、第２光源２０と、の３種類の光源の組み合わせで構成されていても良い。
【００６５】
この構成とすることにより、第１発光部の色度座標１１１、第２発光部の色度座標１２１、第３発光部の色度座標１３１、第４発光部の色度座標１４１、は色度図上で図１０の位置となる。第１の変形例での照明装置１では、第１発光部の色度座標１１１と、第２発光部の色度座標１２１と、第１発光部の色度座標１３１と、第１発光部の色度座標１４１と、の４点を頂点とする四角形の内側の領域の色を作り出すことができる。この四角形の領域は、発光部で赤色、緑色、青色、白色の光を混色させて構成されているため、図５に示したような赤色、緑色、青色とった単色光でつくられる領域と比べて、面積が狭いものとなる。つまり、第１の変形例の照明装置１で作り出すことができる色の範囲は、先に紹介した実施例と比べて狭いものとなっている。
【００６６】
第１の変形例では、照明装置１で作り出すことができる色の範囲が狭くなっており、青色、赤色、緑色などの単色光が照射されない構造となる。一般照明では単色光は不要となる場合があるため、単色光が不要な環境においては、第１の変形例の照明装置１を用いることで、制御領域が限定されることで効率の良い照明制御が可能となる。
また、本構造とすることで、いずれの発光部にも白色光が含まれるため、高い演色性能を得つつ調光を行うことができる。
【００６７】
第１の変形例における、各発光部に使用される白色光は演色評価数が９０以上であることが好ましい。また、第１の変形例における、各発光部に使用される赤色、緑光はそれぞれ、半値幅が５０ｎｍ以上あることが好ましい。
【００６８】
また、第１の変形例における、第１発光部の色度座標１１１、第２発光部の色度座標１２１、第３発光部の色度座標１３１、第４発光部の色度座標１４１、の４点からなる四角形の領域は、黒体軌跡５０をその領域内に含むように構成されることが好ましい。
また、第１の変形例と第１の変形例が組み合わされた照明装置１が構成されても良い。
【００６９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７０】
１  照明装置
２  光源装置
３  制御部
１０  第１光源
２０  第２光源
３０  第３光源
４０  第４光源
６０  受信部
７０  処理部
【図１】
2020167063.tif 000003
【図２】
2020167063.tif 000004
【図３】
2020167063.tif 000005
【図４】
2020167063.tif 000006
【図５】
2020167063.tif 000007
【図６】
2020167063.tif 000008
【図７】
2020167063.tif 000009
【図８】
2020167063.tif 000010
【図９】
2020167063.tif 000011
【図１０】
2020167063.tif 000012